(57)【要約】      （修正有）【課題】干渉信号を効果的に抑圧する方法および回路を提供する。【解決手段】中間周波数へ変換されたＴＶ信号は、隣接したＴＶチャネルからの干渉信号を抑圧するためＩ／Ｑ復調器によって同相信号（I)へ復調され、信号に対して位相角π／２だけ移相された信号で直交信号（Ｑ）へ復調される。同相信号（Ｉ）は一様対称インパルス応答を有するヒルバート・フィルタ・ペアの第１のヒルバート・フィルタによってフィルタされる。直交信号（Ｑ）は非一様対称インパルス応答を有するヒルバート・フィルタ・ペアの第２のヒルバート・フィルタによってフィルタされる。ヒルバート・フィルタを通された直交信号（Ｑ）はビデオ出力信号（ＳＶｉｄｅｏ）を得るため加算器２１によって同相信号（Ｉ）へ加算される。ヒルバート・フィルタを通された直交信号（Ｑ）は音声出力信号（ＳＳoｕｎｄ）を得るため減算器によって同相信号（Ｉ）から減じられる。【選択図】図１
2006174424.tif 000002
【特許請求の範囲】
【請求項１】
ビデオ信号（１２５ｂ）、音声信号（１２５ａ）、およびビデオ搬送波信号（ＢＴ）を含み、アナログまたはディジタル的に変調されて、前記ビデオ搬送波信号（ＢＴ）のビデオ搬送波周波数（ｆＢＴ）で、中間周波数信号（ＳIF）を生成する中間周波数（第２ＩＦ）へ変換されたＴＶ信号（１２５）のチャネル・フィルタリングを実行する方法であって、中間周波数（ＳIF）が、ビデオ搬送波周波数（ｆＢＴ）の信号（Ｓ（ｆＢＴ；０°））で同相信号（Ｉ）へ、およびビデオ搬送波周波数（ｆＢＴ）の、信号（Ｓ（ｆＢＴ；０°））に対して位相角π／２だけ移相された信号（Ｓ（ｆＢＴ；９０°））で直交信号（Ｑ）へＩ／Ｑ復調されること、同相信号（Ｉ）が、ヒルバート・フィルタを通された同相信号（ＩＨ）を得るため、一様対称インパルス応答（ｈＩ（Ｌ−ｎ）＝ｈＩ（ｎ））を有するヒルバート・フィルタ・ペア（ＨＦ−Ｉ、ＨＦ−Ｑ）の第１のヒルバート・フィルタ（ＨＦ−Ｉ）によってフィルタされること、直交信号（Ｑ）が、ヒルバート・フィルタを通された直交信号（ＱＨ）を得るため、非一様対称インパルス応答を有するヒルバート・フィルタ・ペア（ＨＦ−Ｉ、ＨＦ−Ｑ）の第２のヒルバート・フィルタ（ＨＦ−Ｑ）によってフィルタされること、ヒルバート・フィルタを通された直交信号（ＱＨ）が、ビデオ出力信号（ＳＶｉｄｅｏ）を得るため、ヒルバート・フィルタを通された同相信号（ＩＨ）へ加算されること、および／またはヒルバート・フィルタを通された直交信号（ＱＨ）が、音声出力信号（ＳＳｏｕｎｄ’）を得るため、ヒルバート・フィルタを通された同相信号（IH）から減じられることを特徴とする方法。
【請求項２】
中間周波数信号（ＳIF）が、下サイドチャネル（１２６、１２６’）からゼロ周波数（ｆＢＴ＊＝０）へビデオ搬送波（ＢＴ＊）を変換することによって生成されることを特徴とする、請求項１に記載の方法。
【請求項３】
中間周波数信号（ＳIF）が、Ｉ／Ｑ復調の前に帯域フィルタを通されることを特徴とする、請求項１または２に記載の方法。
【請求項４】
帯域フィルタリングが、サンプリング周波数（ｆｓ）でディジタル的に実現されることを特徴とする、請求項３に記載の方法。
【請求項５】
帯域フィルタリングが、下サイドチャネル（１２６’）からの残留干渉（ｆＢＴ＊）を抑圧するために利用されることを特徴とする、請求項３または４に記載の方法。
【請求項６】
帯域フィルタリングが、下サイドチャネル（１２６’）のビデオ搬送波（ＢＴ＊）が変換された周波数（ｆＢＴ＊＝０；１３３）よりも大きい周波数（ｆ）と、サンプリング周波数の半分（ｆｓ／２；１３４）よりも小さい周波数（ｆ）との間に広がる通過帯域を有することを特徴とする、請求項５に記載の方法。
【請求項７】
帯域フィルタリングが、下サイドチャネル（１２６’）のビデオ搬送波（ＢＴ＊）が変換された周波数（ｆＢＴ＊＝０）でゼロ値（１３３）を有すること、および／または帯域フィルタリングが、サンプリング周波数の半分（ｆｓ／２）でゼロ値（１３４）を有することを特徴とする、請求項５または６に記載の方法。
【請求項８】
同相信号（Ｉ）が、ヒルバート・フィルタリングの前に低域フィルタを通されること、および／または直交信号（Ｑ）が、ヒルバート・フィルタリングの前に低域フィルタを通されることを特徴とする、請求項１から７のいずれか一項に記載の方法。
【請求項９】
同相信号（Ｉ）の低域フィルタリングおよび／または直交信号（Ｑ）の低域フィルタリングが、ビデオ搬送波（ｆＢＴ）の第２調波の近辺でＩ／Ｑ復調からの所望されない混合結果を抑圧するために使用されることを特徴とする、請求項８に記載の方法。
【請求項１０】
同相信号（Ｉ）の低域フィルタリングが、ＴＶ信号のチャネル帯域幅（Ｂ）に対応する周波数（ｆ）まで広がる通過帯域（１３６）を有すること、および／または直交信号（Ｑ）の低域フィルタリングが、ＴＶ信号のチャネル帯域幅（Ｂ）に対応する周波数（ｆ）まで広がる通過帯域（１３６）を有することを特徴とする、請求項９に記載の方法。
【請求項１１】
同相信号（Ｉ）の低域フィルタリングが、ビデオ搬送波周波数の２倍（２ｆＢＴ）からチャネル帯域幅（Ｂ）を減じたものに対応する周波数（２ｆＢＴ−Ｂ）でゼロ値（１３９）を有することを特徴とする、請求項９または１０に記載の方法。
【請求項１２】
上サイドチャネル（１２７’）からの干渉結果を抑圧するためにヒルバート・フィルタリングが使用されること、および／またはヒルバート・フィルタを通された同相信号（ＩＨ）とヒルバート・フィルタを通された直交信号（ＱＨ）との和分に基づいて、またはヒルバート・フィルタを通された同相信号（ＩＨ）とヒルバート・フィルタを通された直交信号（ＱＨ）との差分に基づいて、ビデオ出力信号（ＳＶｉｄｅｏ）および音声出力信号（ＳＳｏｕｎｄ）への分離を生じるように、位相関係、特に、同相信号（Ｉ）および直交信号（Ｑ）におけるビデオ信号成分と音声信号成分との符号が同期化されることを特徴とする、請求項１から１１のいずれか一項に記載の方法。
【請求項１３】
同相信号（Ｉ）のヒルバート・フィルタリングが、チャネル帯域幅（Ｂ）に対応する上周波数（ｆ）まで広がる通過帯域（１３７）を有すること、および／または直交信号（Ｑ）のヒルバート・フィルタリングが、チャネル帯域幅（Ｂ）に対応する上周波数（ｆ）まで広がる通過帯域（１３８ａ、１３８ｂ）を有することを特徴とする、請求項１２に記載の方法。
【請求項１４】
直交信号（Ｑ）のヒルバート・フィルタリングが、残留帯域幅（ＦＲ）に対応する下周波数（ｆ）まで広がる通過帯域（１３８ａ、１３８ｂ）を有することを特徴とする、請求項１２または１３に記載の方法。
【請求項１５】
ビデオ信号の帯域幅（ＢＢ）に対応する周波数と、チャネル帯域幅（Ｂ）に対応する周波数との間の直交信号（Ｑ）のヒルバート・フィルタリングが、残留周波数（ｆＲ）とビデオ信号の帯域幅（ＢＢ）に対応する周波数との間の伝達関数（ＨＱ＝ＡＱ）と比較して、反転された符号を有する伝達関数（ＨＱ＝−ＡＱ）を有することを特徴とする、請求項１４に記載の方法。
【請求項１６】
同相信号（Ｉ）のヒルバート・フィルタリングが、ビデオ搬送波信号の２倍（２ｆＢＴ）からチャネル帯域幅（Ｂ）を減じたものに対応する周波数（２ｆＢＴ−Ｂ）でゼロ値（１３９）を有すること、および／または直交信号（Ｑ）のヒルバート・フィルタリングが、ビデオ搬送波周波数の２倍（２ｆＢＴ）からチャネル帯域幅（Ｂ）を減じたものに対応する周波数（２ｆＢＴ−Ｂ）でゼロ値（１３９）を有すること、および／または直交信号（Ｑ）のヒルバート・フィルタリングが、ビデオ信号の帯域幅（ＢＢ）に対応する周波数でゼロ値（１３９）を有することを特徴とする、請求項１２から１５のいずれか一項に記載の方法。
【請求項１７】
音声信号（ＳＳｏｕｎｄ’）が、フィルタされた音声出力信号（ＳＳｏｕｎｄ）を得るために高域フィルタを通されることを特徴とする、請求項１から１６のいずれか一項に記載の方法。
【請求項１８】
高域フィルタリングが、下サイドチャネル（１２６’）からの残留干渉（ＴＴ＊）を抑圧することを特徴とする、請求項１７に記載の方法。
【請求項１９】
ビデオ信号（１２５ｂ）、音声信号（１２５ａ）、およびビデオ搬送波信号（ＢＴ）を含み、アナログまたはディジタル的に変調されて、前記ビデオ搬送波信号（ＢＴ）のビデオ搬送波周波数（ｆＢＴ）で、中間周波数信号（ＳIF）を生成する中間周波数（第２ＩＦ）へ変換されたＴＶ信号（１２５）のチャネル・フィルタリングを実行する回路であって、ビデオ搬送波周波数（ｆＢＴ）の信号（Ｓ（ｆＢＴ；０°））で同相信号（Ｉ）へ、およびビデオ搬送波周波数（ｆＢＴ）の、信号（Ｓ（ｆＢＴ；０°））に対して位相角π／２だけ移相された信号（Ｓ（ｆＢＴ；９０°））で直交信号（Ｑ）へ、中間周波数（ＳIF）を復調するように構成されたＩ／Ｑ復調器（３）が設けられること、第１の一様対称インパルス応答（ｈＩ（Ｌ−ｎ）＝ｈＩ（ｎ））を有する第１のヒルバート・フィルタ（ＨＦ−Ｉ）および第２の非一様対称応答（ｈＱ（Ｌ−ｎ）＝−ｈＱ（ｎ））を有する第２のヒルバート・フィルタ（ＨＦ−Ｑ）を含み、第１のヒルバート・フィルタ（ＨＦ−Ｉ）が、ヒルバート・フィルタを通された同相信号（ＩＨ）を得るため同相信号（Ｉ）をフィルタするように構成され、第２のヒルバート・フィルタ（ＨＦ−Ｑ）が、ヒルバート・フィルタを通された直交信号（ＱＨ）を得るため直交信号（Ｑ）をフィルタするように構成されたヒルバート・フィルタ・ペア（ＨＦ−Ｉ、ＨＦ−Ｑ）が設けられること、ビデオ出力信号（ＳＶｉｄｅｏ）を得るため、ヒルバート・フィルタを通された直交信号（ＱＨ）を、ヒルバート・フィルタを通された同相信号（ＩＨ）へ加算するように構成された加算器（２１）が設けられること、および／または音声出力信号（ＳＳｏｕｎｄ’）を得るため、ヒルバート・フィルタを通された直交信号（ＱＨ）を、ヒルバート・フィルタを通された同相信号（ＩＨ）から減じるように構成された減算器（２２）が設けられることを特徴とする回路。
【請求項２０】
下サイドチャネル（１２６、１２６’）からゼロ周波数（ｆＢＴ＊＝０）へビデオ搬送波（ＢＴ＊）を変換することによって中間周波数（ＳIF）を生成するための手段が設けられたことを特徴とする、請求項１９に記載の回路。
【請求項２１】
Ｉ／Ｑ復調の前に中間周波数信号（ＳIF）を帯域フィルタリングするため、帯域フィルタ（ＢＰＦ）がＩ／Ｑ復調器（３）の入力側に接続されたことを特徴とする、請求項１９または２０に記載の回路。
【請求項２２】
帯域フィルタ（ＢＰＦ）が、サンプリング周波数（ｆｓ）で帯域フィルタリングをディジタル的に実現するように構成されたことを特徴とする、請求項２１に記載の回路。
【請求項２３】
帯域フィルタ（ＢＰＦ）が、下サイドチャネル（１２６’）からの残留干渉（ｆＢＴ＊）を抑圧するように構成されたことを特徴とする、請求項２１または２２に記載の回路。
【請求項２４】
帯域フィルタ（ＢＰＦ）が、下サイドチャネル（１２６’）のビデオ搬送波（ＢＴ＊）が変換された周波数（ｆＢＴ＊＝０；１３３）よりも大きい周波数（ｆ）と、サンプリング周波数の半分（ｆｓ／２；１３４）よりも小さい周波数（ｆ）との間に広がる通過帯域（１３５）を有することを特徴とする、請求項２３に記載の回路。
【請求項２５】
帯域フィルタ（ＢＰＦ）が、下サイドチャネル（１２６’）のビデオ搬送波（ＢＴ＊）が変換された周波数（ｆＢＴ＊＝０）でゼロ値（１３３）を有すること、および／または帯域フィルタ（ＢＰＦ）が、サンプリング周波数の半分でゼロ値（１３４）を有することを特徴とする、請求項２３または２４に記載の回路。
【請求項２６】
ヒルバート・フィルタリングの前に同相信号（Ｉ）を低域フィルタリングするように構成された低域フィルタ（ＴＰＦ−Ｉ）が設けられること、および／またはヒルバート・フィルタリングの前に直交信号（Ｑ）を低域フィルタリンクグするように構成された低域フィルタ（ＴＰＦ−Ｑ）が設けられることを特徴とする、請求項１９から２５のいずれか一項に記載の回路。
【請求項２７】
低域フィルタ（ＴＰＦ−Ｉ）が同相信号（Ｉ）のために構成され、および／またはビデオ搬送波（ｆＢＴ）の第２調波の近辺でＩ／Ｑ復調からの所望されない混合結果を抑圧するように、低域フィルタ（ＴＰＦ−Ｑ）が構成されることを特徴とする、請求項２６に記載の回路。
【請求項２８】
低域フィルタ（ＴＰＦ−Ｉ）が、ＴＶ信号のチャネル帯域幅（Ｂ）に対応する周波数（ｆ）まで広がる通過帯域（１３６）を有すること、および／または直交信号（Ｑ）の低域フィルタ（ＴＰＦ−Ｑ）が、ＴＶ信号のチャネル帯域幅（Ｂ）に対応する周波数（ｆ）まで広がる通過帯域（１３６）を有することを特徴とする、請求項２７に記載の回路。
【請求項２９】
同相信号（Ｉ）の低域フィルタ（ＴＰＦ−Ｉ）が、ビデオ搬送波周波数の２倍（２ｆＢＴ）からチャネル帯域幅（Ｂ）を減じたものに対応する周波数（２ｆＢＴ−Ｂ）でゼロ値（１３９）を有することを特徴とする、請求項２７または２８に記載の回路。
【請求項３０】
ヒルバート・フィルタ・ペア（ＨＦ−Ｉ、ＨＦ−Ｑ）が、上サイドチャネル（１２７’）からの干渉結果を抑圧するように構成されること、および／またはヒルバート・フィルタ・ペア（ＨＦ−Ｉ、ＨＦ−Ｑ）が、位相関係、特に、同相信号（Ｉ）および直交信号（Ｑ）におけるビデオ信号成分と音声信号成分との符号を同期化して、ヒルバート・フィルタを通された同相信号（ＩＨ）とヒルバート・フィルタを通された直交信号（ＱＨ）との和分に基づき、またはヒルバート・フィルタを通された同相信号（ＩＨ）とヒルバート・フィルタを通された直交信号（ＱＨ）との差分に基づき、ビデオ出力信号（ＳＶｉｄｅｏ）および音声出力信号（ＳＳｏｕｎｄ）への分離を生じるように構成されることを特徴とする、請求項１９から２９のいずれか一項に記載の回路。
【請求項３１】
同相信号（Ｉ）のヒルバート・フィルタ（ＨＦ−Ｉ）が、チャネル帯域幅（Ｂ）に対応する上周波数（ｆ）まで広がる通過帯域（１３７）を有すること、および／または直交信号（Ｑ）のヒルバート・フィルタ（ＨＦ−Ｑ）が、チャネル帯域幅（Ｂ）に対応する上周波数（ｆ）まで広がる通過帯域（１３８ａ、１３８ｂ）を有することを特徴とする、請求項３０に記載の回路。
【請求項３２】
直交信号（Ｑ）のヒルバート・フィルタ（ＨＦ−Ｑ）が、残留周波数（ｆＲ）に対応する下周波数（ｆ）まで広がる通過帯域（１３８ａ、１３８ｂ）を有することを特徴とする、請求項３０または３１に記載の回路。
【請求項３３】
ビデオ信号の帯域幅（ＢＢ）に対応する周波数と、チャネル帯域幅（Ｂ）に対応する周波数との間の直交信号（Ｑ）のヒルバート・フィルタ（ＨＦ−Ｑ）が、残留周波数（ｆＲ）とビデオ信号の帯域幅（ＢＢ）に対応する周波数との間の伝達関数（ＨＱ＝ＡＱ）と比較して、反転された符号を有する伝達関数（ＨＱ＝−ＡＱ）を有することを特徴とする、請求項３２に記載の回路。
【請求項３４】
同相信号（Ｉ）のヒルバート・フィルタ（ＨＦ−Ｉ）が、ビデオ搬送波信号の２倍（２ｆＢＴ）からチャネル帯域幅（Ｂ）を減じたものに対応する周波数（２ｆＢＴ−Ｂ）でゼロ値（１３９）を有すること、および／または直交信号（Ｑ）のヒルバート・フィルタ（ＨＦ−Ｑ）が、ビデオ搬送波周波数の２倍（２ｆＢＴ）からチャネル帯域幅（Ｂ）を減じたものに対応する周波数（２ｆＢＴ−Ｂ）でゼロ値（１３９）を有すること、および／または直交信号（Ｑ）のヒルバート・フィルタ（ＨＦ−Ｑ）が、ビデオ信号の帯域幅（ＢＢ）に対応する周波数でゼロ値（１３９）を有することを特徴とする、請求項３０から３３のいずれか一項に記載の回路。
【請求項３５】
フィルタされた音声出力信号（ＳＳｏｕｎｄ）を得るため、音声出力信号（ＳＳｏｕｎｄ’）を高域フィルタリングするように構成された高域フィルタ（ＨＰＦ）が設けられたことを特徴とする、請求項１９から３４のいずれか一項に記載の回路。
【請求項３６】
高域フィルタ（ＨＰＦ）が、下サイドチャネル（１２６’）からの残留干渉（ＴＴ＊）を抑圧するように構成されたことを特徴とする、請求項３５に記載の回路。
【発明の詳細な説明】
【技術分野】
【０００１】
本発明は、請求項１のプリアンブルに記述されるように、アナログまたはディジタル的に変調されたテレビ信号のチャネル・フィルタリング方法に関し、また請求項１９のプリアンブルに記述されるように、アナログまたはディジタル的に変調されたテレビ信号のチャネル・フィルタリング回路に関する。
【背景技術】
【０００２】
テレビ信号は様々な周波数チャネルで伝送される。テレビ受信機は、これらＴＶ信号（の幾つか）を受け取ることができる。テレビ受信機に存在するチューナは、オペレータによって提供されたセッティングに基づいてチャネルを選択し、このチャネルを増幅する。大部分のテレビ受信機において、選択されたテレビ信号は、続いて約４０ＭＨｚの第１の中間周波数へ変換される（注：この第１の中間周波数は、今後ＩＦと略記される）。この時点で、この中間周波数信号は、通常、表面波フィルタによって帯域フィルタリングを施される。テレビ受信機の多くの実現形態においては、第１の中間周波数へ変換されたＴＶ信号は、後続の一般的にはアナログ信号処理の後、第２の中間周波数へ変換される。そのような変換は、たとえば特許文献１で説明されている（注：明確に区別するため、この第２の中間周波数は、今後は第２ＩＦ（Ｉｎｔｅｒｍｅｄｉａｔｅ  Ｆｒｅｑｕｅｎｃｙ）と略記される）。この第２の中間周波数第２ＩＦは、下サイドチャネルのビデオ搬送波がゼロ周波数にセットされるように選択される。このようにして、このサイドチャネル・ビデオ搬送波は、アナログ高域フィルタによって容易にフィルタアウトされることができる。第２変換の所望されない混合結果も抑圧されなければならず、いかなる場合においても後続のアナログ・ディジタル変換は、アンチエリアシング低域フィルタを必要とするから、このフィルタも帯域フィルタとして設計される。このようにして得られた信号も第２ＩＦ信号と呼ばれ、好ましくはディジタルの他の信号処理手段へ送られる。
【０００３】
現代のチューナ装置、いわゆるシリコン・チューナも、チャネルを低ＩＦへ直接変換するか、ＩＦとして著しく高い周波数（たとえば１．２ＧＨｚ）を使用して、低ＩＦへ変換することができる。
【０００４】
中間周波数（ＩＦまたは第２ＩＦ）へ変換されたビデオ搬送波信号、ビデオ信号、一般的には２つの音声搬送波信号、および音声信号を有する（チューナから選択された）チャネルのアナログまたはディジタル的に変調されたＴＶ信号のチャネル・フィルタリングを達成する多くの方法が、従来技術から知られている。
【０００５】
これらの方法の全ては、原理的には有効であることが証明されたが、それら方法の全ては、伝送標準に依存する特殊の前置フィルタを必要とする。そうでないと、１つの前置フィルタを使用しただけでは、一般的に、隣接したチャネル（具体的には、上または下のサイドチャネル）からの全ての干渉信号は、効果的に抑圧またはフィルタアウトされない。更に、これらの方法では、前置フィルタは、ディジタルＴＶ信号に必要な前置フィルタに対して完全に異なった振幅応答を有する。
【特許文献１】ＤＥ１９８  ２５  ４５５Ｃ２
【発明の開示】
【発明が解決しようとする課題】
【０００６】
したがって、本発明の目的は、中間周波数へ変換されるアナログまたはディジタル的に変調されたＴＶ信号のチャネル・フィルタリング方法および回路を提供することである。これらの方法または回路は、より効果的に干渉を抑圧し、アナログおよびディジタル的に変調されたＴＶ信号について、同一の標準独立前置フィルタリングを達成する。
【課題を解決するための手段】
【０００７】
この目的は、請求項１の特徴部分で特徴付けられた種クレームによる方法、および請求項１９の特徴部分で特徴付けられた種クレームによる回路によって達成される。
【０００８】
本発明の有利な実施形態および修正は、従属請求項で示される。
【０００９】
前述したように、本発明は、ビデオ信号、音声信号、およびビデオ搬送波周波数を有するビデオ搬送波信号を含むアナログまたはディジタル的に変調されたＴＶ信号に基づいている。このＴＶ信号は、中間周波数信号を形成する中間周波数へ変換される。本発明によれば、隣接するＴＶチャネルの干渉信号を抑圧し、ビデオおよび音声情報を分離するため、中間周波数信号は、たとえば、いわゆるＩ／Ｑ復調器によって、ビデオ搬送波周波数を有する信号で同相信号へ復調され、ビデオ搬送波周波数を有して信号に対してπ／２の位相角だけ移相された信号で直交信号へ復調される。本発明によれば、同相信号は、ヒルバート・フィルタされた同相信号を得るため、ヒルバート・フィルタ・ペアに属して一様対称インパルス応答を有する第１のヒルバート・フィルタによってフィルタされる。同じように、直交信号は、ヒルバート・フィルタされた直交信号を得るため、非一様対称インパルス応答を有するヒルバート・フィルタ・ペアの第２のヒルバート・フィルタによってフィルタされる。装置に関しては、たとえば簡単な加算器を使用して、ヒルバート・フィルタされた直交信号は、ビデオ出力信号を得るため、ヒルバート・フィルタされた同相信号へ加算される。代替的または追加的に、本発明によれば、ヒルバート・フィルタされた直交信号は、音声出力信号を得るため、たとえば簡単な減算器によって、ヒルバート・フィルタされた同相信号から減じられる。したがって、フィルタ方法またはフィルタ配列は、音声信号からのビデオ信号の分離をフィルタリングと組み合わせ、ビデオおよび音声のそれぞれの分離周波数範囲内で、改善されたフィルタリングを達成する。
【００１０】
前述した方法または前述した回路は、任意の所与の中間周波数へ変換されたＴＶ信号をフィルタするのに適している。更に、フィルタリングがアナログ技術またはディジタル技術のいずれで実現されるかは基本的に関係がない。もっとも、所望のフィルタ特性を実現することに関して、多くの場合、ディジタル・フィルタリングが有利である。
【００１１】
ディジタル・フィルタリングの場合、前述したＩ／Ｑ復調、ヒルバート・フィルタリング、および後続の加法および減法を施される中間周波数信号が、下サイドチャネルからゼロ周波数へビデオ搬送波を変換することによって生成されるのが、特に有利である。なぜなら、これは可能な最低信号周波数を生成し、その結果、可能な限り遅くディジタル処理を実現することができるからである。言い換えると、これは、前述した第２ＩＦ信号または低ＩＦ信号が、本発明に従った方法によって処理されるか、本発明に従った回路によってビデオ信号および／または音声信号へ分離されることを意味する。
【００１２】
本質的に無干渉の中間周波数信号（特に第２ＩＦ信号）を入力側で得るため、またクリティカルなアナログ・ディジタル変換から可能な限り多くの干渉信号を遠ざけるため、本発明はＩ／Ｑ復調の前に中間周波数信号を帯域フィルタでフィルタする。この目的のため、本発明に従った回路は、Ｉ／Ｑ復調器の入力側に１つまたは複数の帯域フィルタを有する。
【００１３】
原理的には、各々の伝送標準について、所望されない干渉／信号を抑圧する１つのフィルタを設けることができるが、もし帯域フィルタが下サイドチャネルから少なくともおよび主として残留干渉を抑圧するならば、有利であることが証明された。帯域フィルタリングの後、上側波帯からのいかなる残留干渉は、或るレベルまで許容される。このアプローチは、比較的簡単な（したがって安価な）フィルタリングが十分に良好な結果を提供するという利点を有する。
【００１４】
本発明は、下隣接ビデオ搬送波が周波数ゼロへ変換されるようにするので、下周波数成分すら有効帯域（変換の映像周波数）へ折り重ねられることが可能である。したがって、本発明に従った配列は、これを防止する装置を含まねばならない。原理的には、変換の映像周波数を抑圧するため、変換の前に帯域フィルタを通すこと、または複雑な変換を行うことが考えられる。もしこの配列が下サイドチャネルのビデオ搬送波を抑圧するならば、特に有利である。この目的のため、第２ＩＦへの変換の後、アナログ高帯域フィルタを導入することもできる。このフィルタのカットオフ周波数は、下サイドチャネルのビデオ搬送波の上にあり、また有効チャネルの下にある。
【００１５】
ディジタル帯域フィルタは、下サイドチャネルのビデオ搬送波が変換された周波数よりも大きい周波数（第２ＩＦ信号の場合は周波数ゼロ）と、サンプリング周波数の半分よりも小さな周波数との間に広がっている通過帯域を有するように、設計されることができる。
【００１６】
追加の干渉信号抑圧を提供するため、本発明の特に有利な実施形態では、同相信号および／または直交信号は、ヒルバート・フィルタリングの前に低域フィルタを通される。装置に関しては、低域フィルタは、１つまたは双方の前記ヒルバート・フィルタの入力側に接続される。
【００１７】
低域フィルタの大きさおよび構成は、同相信号を低域フィルタリングし、および／または直交信号を低域フィルタリングすることによって、所望されない混合結果が、Ｉ／Ｑ復調からのビデオ搬送波の第２調波の近辺で抑圧されるように決められる。
【００１８】
同相信号または直交信号の低域フィルタが、ＴＶ信号のチャネル帯域幅（これは、たとえば、ＰＡＬ標準では約７または８ＭＨｚであり、ＮＴＳＣ標準では約６ＭＨｚである。ＰＡＬは移相交替線（Ｐｈａｓｅ  Ａｌｔｅｒｎａｔｉｎｇ  Ｌｉｎｅ）の略語であり、ＮＴＳＣは国内テレビ・システム委員会（Ｎａｔｉｏｎａｌ  Ｔｅｌｅｖｉｓｉｏｎ  Ｓｙｓｔｅｍ  Ｃｏｍｍｉｔｔｅｅ）の略語である）に対応する周波数まで広がっている通過帯域を有する伝達関数を有するとき、有利であることが証明された。
【００１９】
混合結果は、ビデオ搬送波周波数の第２調波の周波数（ビデオ搬送波周波数の２倍に対応する）から、チャネル幅に対応する周波数距離の中に置かれるから、本発明の特に有利な実施形態では、同相信号または直交信号の低域フィルタの１つまたは双方は、ビデオ搬送波周波数の２倍からチャネル帯域幅を減じたものに対応する周波数でゼロ値を有する。
【００２０】
ヒルバート・フィルタ・ペアのヒルバート・フィルタは、有利には、上サイドチャネルからの干渉結果がヒルバート・フィルタリングによって抑圧されるよにう設計される。代替的または追加的に、本発明によれば、ヒルバート・フィルタリングの間、位相関係、特に、同相信号および直交信号内のビデオおよび音声信号成分の符号が同期化され、ヒルバート・フィルタされた同相信号または直交信号の和分から、または同相信号とヒルバート・フィルタされた直交信号との差分から、ビデオ出力信号および音声出力信号への分離が生じるようにされる。
【００２１】
この目的を達成するため、ヒルバート・フィルタの伝達関数は、たとえば同期信号については、チャネル帯域幅にほぼ対応する上周波数まで広がっている通過帯域を有することができる。同じように、ヒルバート・フィルタの伝達関数は、直交信号について、チャネル帯域幅にほぼ対応する上周波数まで広がっている通過帯域を有することができる。
【００２２】
直交信号のヒルバート・フィルタも、たとえば、残留側波帯幅に対応する下周波数まで広がっている通過帯域を有する伝達関数を有する。残留側波帯幅は、テレビ信号の伝送中に部分的に抑圧される側波帯の幅を意味するものと理解される。残留側波帯の中で、有効な信号はＱ分岐内で生成されない。なぜなら、上および下側波帯は相互に打ち消すからである。
【００２３】
直交信号のヒルバート・フィルタは、更に、有利には、ビデオ信号の帯域幅（たとえば、信号の帯域幅は、ＰＡＬ標準に従えば５ＭＨｚであり、ＮＴＳＣ標準に従えば４．２ＭＨｚである）に対応する周波数と、チャネル帯域幅（上述のようにＰＡＬ標準に従えば７または８ＭＨｚであり、ＮＴＳＣ標準に従えば６ＭＨｚである）に対応する周波数との間の伝達関数を有するように設計され、この伝達関数は、前述した残留周波数とビデオ信号の帯域幅に対応する周波数との間の伝達関数に対して全く逆の符号を有する。
【００２４】
前述した干渉信号を抑圧するため、ヒルバート・フィルタ・ペアのヒルバート・フィルタの伝達関数も、任意的にヒルバート・フィルタの入力側にある前記低域フィルタと同じゼロ値を有する。特に、たとえば、同相信号のヒルバート・フィルタの伝達関数は、ビデオ搬送波周波数の２倍からチャネル帯域幅を減じたものに対応する周波数でゼロ値を有する。直交信号のヒルバート・フィルタも、本発明の好ましい実施形態では、代替的または追加的に、ビデオ搬送波周波数の２倍からチャネル帯域幅を減じたものに対応する周波数でゼロ値を有する。ビデオ信号および音声信号を分離するため、直交信号のヒルバート・フィルタが、ビデオ信号の帯域幅に対応する伝達関数を有することが有利である。
【００２５】
前述したフィルタ配列または方法によって、実質的に無干渉の音声およびビデオ出力信号が生成されるが、音声出力信号は、依然として残留妨害信号を含む可能性がある。もし、減算器に続く高域フィルタを使用してヒルバート・フィルタされた同相信号からヒルバート・フィルタされた直交信号を減じることによって得られた音声出力信号が、再び高域フィルタを通されて、フィルタされた音声出力信号が得られるならば、上記の残留妨害信号を抑圧することができる。
【００２６】
特に、高域フィルタは、好ましくは、上サイドチャネルからの残留干渉（具体的には、音声信号干渉）を高域フィルタすることによって抑圧するように設計される。
【００２７】
図面に基づいて、本発明を詳細に説明する。
【発明を実施するための最良の形態】
【００２８】
以下の考察のスタートポイントは、オペレータによって指定されたようにチューナから選択され、続いて増幅され、次に第１の中間周波数へ変換されたＴＶ信号のスペクトルである。このタイプの周波数スペクトル１３０は、図２で示される。プロットされたものは、周波数ｆの関数としての、いわゆるＩＦ信号ｓＺＦの振幅である。
【００２９】
本質的に、参照番号１２５、１２６、および１２７で識別される３つの特性周波数範囲が図面で示される。参照番号１２５で識別される範囲は、選択されたチャネルのビデオおよび音声の有効信号チャネルを表す。
【００３０】
有効信号チャネル１２５は、（下および上サイドチャネルと同じように）２つの特性サブレンジ、具体的には、いわゆる音声信号範囲１２５ａである低周波サブレンジと、いわゆるビデオ信号範囲１２５ｂである高周波サブレンジとを有する。２つの音声搬送波周波数ｆＴＴ１およびｆＴＴ２について、第１および第２の音声搬送波のスペクトル線は、音声信号範囲１２５ａ内でプロットされている。この範囲は、一般的に、固有音声搬送波範囲１２３として識別される。
【００３１】
ビデオ信号範囲１２５ｂは、図面ではビデオ搬送波周波数ｆＢＴで示されるビデオ搬送波ＢＴを有するビデオ振幅変調１２１の両側波帯範囲、および単側波帯範囲１２０を含む。
【００３２】
サイドチャネルは本質的に同じサブレンジを有するので、図面において対応する信号線も、上サイドチャネル１２７の音声搬送波ＴＴ＊について音声搬送波周波数ｆＴＴ１＊およびｆＴＴ２＊でプロットされ、同様に下サイドチャネル１２６のビデオ搬送波ＢＴ＊のスペクトル線が周波数ｆＢＴ＊でプロットされる。
【００３３】
説明を完全にするため、上サイドチャネル１２７の隣接音声搬送波範囲、および下チャネル１２６の隣接ビデオ搬送波範囲は、図２の参照番号１２２および１２４によって識別される。
【００３４】
既に説明したように、このＩＦ信号スペクトルは、いわゆる第２ＩＦ信号ｓIFへ変換される。この第２ＩＦ信号ｓIFは、下サイドチャネル１２６のビデオ搬送波ＢＴ＊が、現在、ゼロ周波数ｆ＊ＢＴ＝０にある事実によって特徴づけられる。トータルの第２ＩＦ信号スペクトル、即ち、周波数ｆの関数としてプロットされた第２ＩＦ信号ｓIFは図３で示され、参照番号１３１によって識別される。配置を簡単にするため、実際の有効信号チャネル、および下および上サイドチャネルは、プライム参照符号を付けられた記号１２５’、１２６’、および１２７’によって識別される。
【００３５】
更に、周波数ｆ＊ＢＴ＝０における下サイドチャネル１２６のビデオ搬送波ＢＴ＊、周波数ｆＴＴ１およびｆＴＴ２における２つの固有音声搬送波ＴＴ、周波数ｆＢＴにおける固有ビデオ搬送波ＢＴ、および周波数ｆ＊ＴＴ１またはｆ＊ＴＴ２における上サイドチャネル１２７’の２つの音声搬送波ＴＴ１＊およびＴＴ２＊について、特性として前述したスペクトル線がプロットされる。
【００３６】
チャネル幅Ｂは、隣接したビデオ搬送波ＢＴおよびＢＴ＊の間の距離によって決定される。ビデオ信号ＢＢの帯域幅は伝送標準によって決定される。
【００３７】
前述したように、チューナによって選択されたテレビ信号の今日の信号処理は、最適のビデオおよび音声品質のテレビ受信を提供するには、十分に無干渉ではない。次の問題点が見出される。
−  下および上サイドチャネル１２６および１２７からの残留干渉ＢＴ＊およびＴＴ＊を、抑圧する必要がある。
−  ビデオ搬送波周波数ｆＢＴにおけるビデオ搬送波ＢＴで同期的に復調されるビデオおよび音声信号を、別々に出力する必要がある。
【００３８】
本発明に従って、アナログまたはディジタル的に変調されたＴＶ信号のチャネル・フィルタリングを達成する回路の実施形態は、図１で示される。
【００３９】
図１による回路は、５つの機能ブロックを含む。具体的には、帯域フィルタＢＰＦの形態での前置フィルタ、Ｉ／Ｑ復調器３，個々のフィルタＨＦ−ＩおよびＨＦ−Ｑを有するヒルバート・フィルタ・ペア、ビデオ信号および音声信号を分離する加算器２１および減算器２２の形式をした算術装置、および高域フィルタＨＰＦの形式をした後段フィルタである。
【００４０】
説明を完全にするため、第２ＩＦ周波数への変換回路および対応する前置フィルタも示される。特に、第２ＩＦへの変換を生成する乗算器１５０が示される。乗算器１５０の入力側には、変換の映像周波数を抑圧する帯域フィルタ１５１が接続される。更に、乗算器１５０の出力側には、帯域フィルタ１５３およびアナログ・ディジタル変換器１５２が接続される。
【００４１】
帯域フィルタ１５３は、アナログ・ディジタル変換の前でも下サイドチャネルのビデオ搬送波を抑圧するアンチエリアシング・フィルタとして機能する。
【００４２】
更に、アナログ・ディジタル変換を簡単にするため、下サイドチャネルのビデオ搬送波をフィルタアウトする他の高域フィルタ（図示せず）を設けることができる。
【００４３】
図６で示されるフィルタ特性を有する帯域フィルタＢＰＦ（複数のアナログおよび／またはディジタル・フィルタを含むことができる）は、中間周波数信号を供給する入力を有する。
【００４４】
帯域フィルタＢＰＦは、出力側で線８を介して入力Ｅへ接続される。帯域フィルタの出力は、入力信号路９を介して、Ｉ／Ｑ復調器３の入力Ｅ３へ接続される。
【００４５】
この実施形態ではディジタルである帯域フィルタＢＰＦは、通過帯域１３５を有する。通過帯域１３５は、下サイドチャネル１２６’のビデオ搬送波ＢＴ＊が変換された周波数１３３（ｆＢＴ＝０）よりも大きい周波数ｆと、サンプリング周波数の半分ｆｓ／２ｉｓｔよりも小さい周波数１３４との間に広がっている。更に、通過帯域フィルタＢＰＦは、下サイドチャネル１２６のビデオ搬送波ＢＴ＊が変換された周波数ｆＢＴ＊＝０でゼロ値１３３を有し、サンプリング周波数の半分ｆｓ／２でゼロ値１３４を有する。
【００４６】
Ｉ／Ｑ復調器３において、入力信号路９はノード１２で２つの部分信号路１０および１１へ分離する。部分信号路１０は、追加の入力を有するミキサ１の入力へ導かれる。ミキサ１の出力は、同相信号路６を介して第１の低域フィルタＴＰＦ−Ｉの入力へ接続される。低域フィルタＴＰＦ−Ｉのフィルタ特性は、図７で示される。
【００４７】
第２の入力信号路１１は、同様に追加の入力を有する第２のミキサ２の入力へ導かれる。第２のミキサ２の１つの出力は、直交信号路７を介して第２の低域フィルタＴＰＦ−Ｑの入力へ接続される。低域フィルタＴＰＦ−Ｑは、図７で示されるフィルタ特性を有する。
【００４８】
この実施形態において、低域フィルタＴＰＦ−ＩおよびＴＰＦ−Ｑの双方は、同じフィルタ特性を有する。同相信号Ｉの低域フィルタＴＰＦ−Ｉおよび直交信号Ｑの低域フィルタＴＰＦ−Ｑは、周波数ｆ＝２ｆＢＴ−Ｂでゼロ値１３９を有する。周波数ｆ＝２ｆＢＴ−Ｂは、ビデオ搬送波周波数の２倍である２ｆＢＴからチャネル帯域幅Ｂを減じたものに対応する。通過帯域１３６は、周波数ｆ＝０からＴＶ信号のチャネル帯域幅Ｂに対応する周波数ｆ＝Ｂまでに広がっている。
【００４９】
第１の低域フィルタＴＰＦ−Ｉの１つの出力は、同相信号路１３を介して第１のヒルバート・フィルタＨＦ−Ｉの入力へ接続される。同様に、第２の低域フィルタＴＰＦ−Ｑの１つの出力は、直交信号路１４を介して第２のヒルバート・フィルタＨＦ−Ｑの入力へ接続される。ヒルバート・フィルタＨＦ−ＩおよびＨＦ−Ｑのフィルタ特性は、図８で示される。
【００５０】
同相信号Ｉのヒルバート・フィルタＨＦ−Ｉは、通過帯域１３７を有する。通過帯域１３７は、ゼロ周波数ｆ＝０からチャネル帯域幅Ｂに対応する上周波数ｆ＝Ｂまでに広がっている。同相信号Ｉのヒルバート・フィルタＨＦ−Ｉは、周波数ｆ＝２ｆＢＴ−Ｂでゼロ値１３９を有する。周波数ｆ＝２ｆＢＴ−Ｂは、ビデオ搬送波周波数の２倍である２ｆＢＴからチャネル帯域幅を減じたものに対応する。直交信号Ｑのヒルバート・フィルタＨＦ−Ｑは、通過帯域１３８ａおよび１３８ｂを有する。これらの通過帯域は、残留周波数ｆＲに対応する追加の周波数ｆ＝ｆＲからチャネル帯域幅Ｂに対応する上周波数ｆ＝Ｂまでに広がっている。
【００５１】
残留周波数ｆＲとビデオ信号の帯域幅ＢＢに対応する周波数との間の伝達関数ＨＱ＝ＡＱは正の符号を有するが、残りの通過帯域１３８ｂの伝達関数は反転される。直交信号Ｑのヒルバート・フィルタＨＦ−Ｑは、ビデオ搬送波周波数の２倍である２ｆＢＴからチャネル帯域幅Ｂを減じたものに対応する周波数ｆ＝２ｆＢＴ−Ｂでゼロ値１３９を有し、ビデオ信号の帯域幅ＢＢに対応する周波数ｆ＝ＢＢでゼロ値１３９を有する。
【００５２】
第１のヒルバート・フィルタＨＦ−Ｉの１つの出力Ａ３，Ｉは、ノード１７で２つの部分路１５および１６へ分離する同相信号路４へ接続される。同様に、第２のヒルバート・フィルタＨＦ−Ｑの出力Ａ３，Ｑは、ノード２０で２つの部分信号路１８および１９へ分離する信号路５へ接続される。
【００５３】
２つのヒルバート・フィルタＨＦ−ＩおよびＨＦ−Ｑから出る２つの部分信号路１５および１９、または１６および１８の各々は、加算器２１または減算器２２の２つの入力の１つへ接続される。
【００５４】
加算器２１の１つの出力は、ビデオ出力信号路２３を介してビデオ出力ＡＶｉｄｅｏへ接続される。
【００５５】
減算器２２の１つの出力は、音声信号路２４を介して図１６で示されたフィルタ特性を有する高域フィルタＨＰＦの入力へ接続される。高域フィルタＨＰＦの１つの出力は、音声出力信号路２５を介して音声出力ＡＳｏｕｎｄへ接続される。
【００５６】
全体の回路の理解を助けるため、以下の記述は、簡単な周波数スペクトルに基づいて、Ｉ／Ｑ復調器３およびヒルバート・フィルタＨＦ−ＩおよびＨＦ−Ｑを有するヒルバート・フィルタ・ペアの機能を説明する。
【００５７】
Ｉ／Ｑ復調器：
余弦入力信号がＩ／Ｑ復調器３の入力Ｅ３へ送られ、Ｉ／Ｑ復調器３は、この余弦入力信号を同相成分Ｉおよび直交成分Ｑへ分割すると想定する。これらの成分はＩ／Ｑ復調器３の２つの出力Ａ３，ＩまたはＡ３，Ｑでタップすることができる。具体的には、次の計算が実行される。
【００５８】
振幅Ａおよび周波数ｆ＋ｆＢＴを有し、時間ｔの関数として次式で記述することのできる変調された入力信号の各々の成分は、
【数１】
2006174424.tif 000003
【００５９】
Ｉ／Ｑ復調器３の中で周波数をシフトされ、回転を伴ってＩおよびＱ出力へ分離され、搬送波周波数ｆＢＴに対する位置に従ってプラスまたはマイナス符号を乗じられ、次式に従ってフィルタ特性ＨＴＰＦ−ＩおよびＨＴＰＦ−Ｑを有する低域フィルタを通される。
【数２】
2006174424.tif 000004
【００６０】
図４は、ビデオ搬送波ＢＴのビデオ搬送波周波数ｆＢＴよりも小さい周波数ｆ２における入力信号ｓIFのスペクトル線、ビデオ搬送波周波数ｆＢＴよりも大きい周波数ｆ１における入力信号ｓIFのスペクトル線（図４ａ）、および対応する同相成分Ｉおよび直交成分Ｑへの変換（図４ｂ）の例を示す。
【００６１】
ヒルバート・フィルタ・ペア：
ヒルバート・フィルタ・ペアは、周波数範囲で次の特性を有する２つのフィルタＨＦ−ＩおよびＨＦ−Ｑを含む。
１．双方のフィルタは線形位相遷移を有する。
２．２つのフィルタＨＦ−ＩおよびＨＦ−Ｑの位相遷移は、９０°だけ異なる。
【００６２】
ヒルバート・フィルタ・ペアのディジタル実現形態において、Ｉフィルタの一様対称インパルス応答は、次式によって記述することができ、
【数３】
2006174424.tif 000005
非一様対称インパルス応答は、次式によって記述することができる。
【数４】
2006174424.tif 000006
ここで、Ｌはフィルタの長さ（サンプリング値における）であり、ｎは所与のフィルタ部分の数である。
【００６３】
周波数範囲内のサンプリング周波数ｆｓにおけるヒルバート・フィルタＨＦ−Ｉのサンプリング、およびサンプリング周波数ｆｓにおけるヒルバート・フィルタＨＦ−Ｑのサンプリングの伝達関数ＨＩおよびＨＱは、次式によって生成される。
【数５】
2006174424.tif 000007
【００６４】
図５ａにおけるように、信号振幅Ａおよび周波数ｆｘを有する正弦入力信号は、同相ヒルバート・フィルタＨＦ−Ｉによってフィルタされたとき信号振幅Ａ＊ＡＩ（ｆｘ）の正弦信号へ変換され、直角ヒルバート・フィルタＨＦ−Ｑによってフィルタされたとき振幅Ａ＊ＡＲ（ｆｘ）の、９０°移相された信号へ変換される（図５ｂを参照）。
【００６５】
もし図３で示される信号スペクトルを有する第２ＩＦ信号が、図１で示される回路によってフィルタされると、修正された信号が図１の個々の回路要素の入力または出力に印加される。これらの信号は、例として選択された様々なスペクトル線を使用して、図９から図１４に基づき説明される。
【００６６】
例として、下サイドチャネルのビデオ搬送波ＢＴ＊、固有音声搬送波ＴＴ、単側波帯１２０内で例として選択されたビデオ信号Ｂ２、両側波帯１２１内で例として選択されたビデオ信号Ｂ１、固有ビデオ搬送波ＢＴ、および上サイドチャネル１２７の音声搬送波ＴＴ＊のスペクトル線が、フィルタを通過したときの変化を示される。個々のスペクトル線は、これらスペクトル線の位置を明らかにするため、単純な参照として図９で示される。
【００６７】
最初に、第２ＩＦ信号ＳIFが、信号路８を介して帯域フィルタＢＰＦへ供給される。周波数ｆ＝０およびサンプリング周波数の半分ｆｓ／２でゼロ値を有する帯域フィルタは、その２つのゼロ値の間で本質的に一定の振幅遷移を有し、また付随して線形位相遷移を有する。したがって、それは下サイドチャネルからの残留干渉、特に下サイドチャネルのビデオ搬送波ＢＴ＊を介する残留干渉をフィルタアウトするように設計される。具体的には、図９の前述したスペクトル線の全ては、ｆＢＴ＊＝０におけるビデオ搬送波信号ＢＴ＊を除いて、不変のままで通される。図１０は、帯域フィルタリングの後に残る図９の特性スペクトル線を示す。
【００６８】
Ｉ／Ｑ復調器３において、帯域フィルタを通された信号スペクトルＳＢＰＦの各々の成分は、周波数をシフトされ、回転を伴ってＩおよびＱの出口Ａ３，ＩおよびＡ３，Ｑへ分離され、搬送波周波数ｆＢＴに対する位置に従ってプラスまたはマイナス符号を乗じられ、次に低域フィルタを通される。Ｉ信号Ｉは、現在、周波数ｆ＝０におけるビデオ搬送波ＢＴ、ビデオ信号周波数ｆ１からの或る距離における第２側波帯からのビデオ信号Ｂ１、上サイドチャネルからの半振幅音声搬送波信号ＴＴ＊、ビデオ周波数ｆ２における単側波帯からの半振幅ビデオ信号Ｂ２、および半振幅固有音声搬送波信号ＴＴを包含する。直交信号Ｑは、周波数ｆ２における単側波帯からのＢ２の半振幅ビデオ信号、および２つの半振幅固有音声搬送波信号ＴＴを包含する。更に、上サイドチャネルからの音声搬送波ＴＴ＊の残留干渉は、１８０°だけ移相され、したがって半振幅で提供される。ビデオ搬送波ＢＴの第２調波の近辺で固有ビデオ搬送波周波数ｆＢＴと混合することによって生成された混合結果は、低域フィルタＢＰＦ−ＩおよびＢＰＦ−Ｑを使用して抑圧された。
【００６９】
追加のステップにおいて、同相信号Ｉは、現在、通路１３を介してヒルバート・フィルタＨＦ−Ｉへ送られる。ヒルバート・フィルタＨＦ−Ｉの振幅応答は、関心事の範囲内で本質的に一定であるから（図８を参照）、同相信号Ｉは、本質的に不変のまま通過し、ヒルバート・フィルタＨＦ−Ｉの出力において、ヒルバート・フィルタされた信号ＩＨの形式で印加される。選択されたスペクトル線のスペクトルは、図１２で示される。
【００７０】
同様に、直交信号Ｑがヒルバート・フィルタＨＦ−Ｑへ送られる。図８の下部から明らかなように、残留周波数ｆＲの下の周波数におけるスペクトル線は抑圧される。残留周波数ｆＲとビデオ信号ＢＢの帯域幅に対応する周波数との間のスペクトル線は、不変のまま通過する。この周波数ＢＢとチャネル帯域幅Ｂに対応する周波数との間の信号線は反転される。
【００７１】
図１３は、ＱＨ信号の選択された特性線のスペクトルを示す。特に、下サイドチャネルのビデオ搬送波信号ＢＴはＱ分岐に存在せず、ビデオ信号Ｂ１は両側波帯範囲（残留側波帯範囲）のＱ分岐に存在しないことが、図１３から明らかである。単側波帯からのビデオ信号Ｂ２は、周波数ｆ２からの或る距離のところに見出される。前と同じように、この信号は半分の信号振幅だけで存在する。音声信号ＴＴは反転され、信号振幅の半分を有する。更に、上サイドチャネルの音声搬送波信号も反転され、信号振幅の半分で存在する。
【００７２】
ヒルバート・フィルタを通された同相信号IHおよびヒルバート・フィルタを通された直交信号ＱＨは、ここで加算器２１によって加算され、出力路２３を介して、ビデオ信号ＳＶｉｄｅｏとして出力ＡＶｉｄｅｏへ印加される。図１４は、ヒルバート・フィルタを通された同相信号とヒルバート・フィルタを通された直交信号ＱＨとを加算した後の、信号スペクトルの選択された特性線を示す。出力ＡＶｉｄｅｏにおいて、ここではビデオ信号線だけ、即ち、ゼロ周波数におけるビデオ搬送波ＢＴ、周波数ｆ１における両側波帯のビデオ信号Ｂ１、および周波数ｆ２における単側波帯のビデオ信号Ｂ２が存在する。
【００７３】
加法のほかに、ヒルバート・フィルタを通された同相信号とヒルバート・フィルタを通された直交信号ＱＨとの間の差分を生成するため、減算器２２が使用される。図１５は、ヒルバート・フィルタを通された同相信号ＩＨから、ヒルバート・フィルタを通された直交信号ＱＨを減じた後の、図９の入力信号スペクトルの選択された特性線を示す。固有チャネルの音声搬送波および上サイドチャネルの音声搬送波の双方が示される。後者を削除するため、減算器２２から出力された信号ＳＳｏｕｎｄ’が、信号路２４を介して前述した高域フィルタＨＦＰの１つへ与えられる。高域フィルタＨＦＰにおいて、上サイドチャネルからの残留干渉、即ち、上サイドチャネルの音声搬送波信号ＴＴ＊が抑圧される。ヒルバート・フィルタを通された同相信号ＩＨと、ヒルバート・フィルタを通された直交信号ＱＨとの間の、高域フィルタを通された差分信号は、出力信号ＳＳｏｕｎｄとして出力される。理想的には、音声信号出力ＡＳｏｕｎｄで出力信号ＳＳｏｕｎｄとして残るものは、２つの音声搬送波信号ＴＴによって表される２つの音声搬送波信号だけである。
【図面の簡単な説明】
【００７４】
【図１】本発明に従ってアナログまたはディジタル的に変調されたＴＶ信号のチャネル・フィルタリングを達成する回路の実施形態を示す図である。
【図２】第１の中間周波数へ変換されたＩＦ信号（従来技術）のスペクトルを示す図である。
【図３】第２の中間周波数（第２ＩＦ、ゼロＩＦ）へ変換された第２ＩＦ信号（従来技術）のスペクトルを示す図である。
【図４】第２ＩＦ信号の、例として選択されたスペクトル線のＩ／Ｑ復調を示す図である。  （ａ）第２ＩＦ入力信号  （ｂ）Ｉ／Ｑ復調の後の第２ＩＦ信号のＩおよびＱ成分
【図５】ＩおよびＱ信号路内にヒルバート・フィルタを有するヒルバート・フィルタ・ペアを使用して、Ｉ成分およびＱ成分の、例として選択されたスペクトル線のヒルバート・フィルタリングを示す図である。  （ａ）ＩおよびＱ成分  （ｂ）ヒルバート・フィルタリングの後のＩおよびＱ成分
【図６】図１の回路からの、Ｉ／Ｑ復調器の入力側に接続されたディジタル帯域フィルタの伝達関数を示す図である。帯域フィルタは、下サイドチャネル・ビデオ搬送波の残留干渉を抑圧するように設計される。
【図７】図１の回路からの、ヒルバート・フィルタ・ペアの入力側に接続された低域フィルタの伝達関数を示す図である。低域フィルタは、Ｉ／Ｑ復調の間にビデオ搬送波の第２調波の近辺で生成される所望されない混合結果を抑圧するように設計される。
【図８】図１の回路のヒルバート・フィルタ・ペアの伝達関数を示す図である。ヒルバート・フィルタ・ペアは、上サイドチャネルからの外乱結果を抑圧し、分離のためにビデオ信号および音声信号の符号を正しくセットするために設けられる。
【図９】図１の回路の入力へ送られる中間周波数信号の、例として選択されたスペクトルを示す図である。
【図１０】入力側で帯域フィルタを通した後に図１の回路の入力へ送られた中間周波数信号のスペクトルを示す図である。帯域フィルタを通した後、下サイドチャネル・ビデオ搬送波の残留干渉が抑圧される。
【図１１】図１のＩ／Ｑ復調器によって復調された後の同相および直交信号のスペクトルを示す図である。Ｉ／Ｑ復調の後、同相および直交信号はゼロ周波数へ混合される。Ｉ／Ｑ復調の間の混合は、基本スペクトルの調波（ここでは図示せず）を作り出し、調波は図１の低域フィルタによって抑圧される。
【図１２】ヒルバート・フィルタを通された同相信号のスペクトルを示す図である。
【図１３】ヒルバート・フィルタを通された直交信号のスペクトルを示す図である。Ｑ信号スペクトルは、より高い周波数を得るため位相角πだけ位相回転される。
【図１４】ビデオ出力信号のスペクトルを示す図である。
【図１５】音声出力信号のスペクトルを示す図である。
【図１６】高域フィルタを通した後の音声出力信号のスペクトルを示す図である。上サイドチャネルからの音声信号の残留干渉は抑圧される。
【符号の説明】
【００７５】
１  ミキサ
２  ミキサ
３  Ｉ／Ｑ復調器
４  同相信号路
５  直交信号路
６  同相信号路
７  直交信号路
８  入力信号路
９  入力信号路
１０  第１の入力信号路
１１  第２の入力信号路
１２  ノード
１３  同相信号路
１４  直交信号路
１５  第１の同相信号路
１６  第２の同相信号路
１７  ノード
１８  第１の直交信号路
１９  第２の直交信号路
２０  ノード
２１  加算器
２２  減算器
２３  ビデオ出力信号路
２４  音声出力信号路
２５  音声出力信号路
１２０  単側波帯の範囲
１２１  ビデオ振幅変調の両側波帯の範囲
１２２  隣接した音声搬送波の範囲
１２３  固有音声搬送波の範囲
１２４  隣接したビデオ搬送波の範囲
１２５、１２５’  有効信号チャネルのビデオおよび音声
１２６、１２６’  下サイドチャネル
１２７、１２７’  上サイドチャネル
１２５ａ、１２５ａ  音声信号の範囲
１２６、１２６ｂ  ビデオ信号の範囲
１３０  ＩＦ信号の周波数スペクトル
１３１  第２ＩＦ信号の周波数スペクトル
１３２’ナイキスト・フレーク
１３３  ゼロ値
１３４  ゼロ値
１３５  通過帯域
１３６  通過帯域
１３７  通過帯域
１３８ａ、１３８ｂ  通過帯域、位相通過帯域
１３９  ゼロ値
１４０  ゼロ値
１４１  ゼロ値
１５０  乗算器
１５１  帯域フィルタ
１５２  アナログ・ディジタル変換器
１５３  帯域フィルタ
Ｉ  同期成分
Ｑ  直交成分
Ｂ  チャネル帯域幅
ＢＢ  ビデオ信号の帯域幅
ＢＴ  ビデオ搬送波の振幅
ＢＴ＊  サイドチャネルのビデオ搬送波の振幅
ＴＴ  音声搬送波
ＴＴ＊  サイドチャネルの音声搬送波
ＢＰＦ  帯域フィルタ
ＴＰＦＩ  同相成分の低域フィルタ
ＴＰＦＱ  直交成分の低域フィルタ
ＨＦＩ  同相成分のヒルバート・フィルタ
ＨＦＱ  直交成分のヒルバートフィルタ
Ｅ３  Ｉ／Ｑ復調器の入力
Ａ３，Ｉ  Ｉ／Ｑ復調器の同相出力
Ａ３，Ｑ  Ｉ／Ｑ復調器の直角出力
ｈＩ  同相ヒルバート・フィルタのインパルス応答
ｈＱ  直角ヒルバート・フィルタのインパルス応答
Ｌ  サンプリング値の数
ｎ  サンプリング値の数
ＨＩ  同相ヒルバート・フィルタの伝達関数
ＨＱ  直角ヒルバート・フィルタの伝達関数
ＨＢＰＦ  帯域フィルタの伝達関数
ＨＴＰＦ−Ｉ  同相成分低域フィルタの伝達関数
ＨＴＰＦ−Ｑ  直交成分低域フィルタの伝達関数
ＨＨＰＦ  高域フィルタの伝達関数
ｓ（ｆＢＴ，０°）  信号
ｓ（ｆＢＴ，９０°）  ９０°移相信号
ＺＦ  中間周波数
ＩＦ  中間周波数
ｆｓ  サンプリング周波数
ｆＲ  残留周波数
ｆ  周波数
ｆ１  周波数
ｆ２  周波数
ｆ＊  周波数
ｆＢＴ  ビデオ搬送波の周波数
ｆＴＴ１  第１の音声搬送波周波数
ｆＴＴ２  第２の音声搬送波周波数
ｆＢＴ＊  他のチャネルのビデオ搬送波周波数
ｆ＊ＴＴ１  他のチャネルの第１の音声搬送波周波数
ｆ＊ＴＴ２  他のチャネルの第２の音声搬送波周波数
ＳIF  入力信号／第２ＩＦ信号
ＳＶｉｄｅｏ  ビデオ出力信号
ＳＳｏｕｎｄ  音声出力信号
ＳＢＰＦ  帯域フィルタを通された第２ＩＦ信号
Ｅ  入力
ＡＶｉｄｅｏ  ビデオ出力
ＡＳｏｕｎｄ    音声出力
Ａ  振幅
Ａ（ｆ１）  振幅
Ａ（ｆ２）  振幅
【図１】
2006174424.tif 000008
【図２】
2006174424.tif 000009
【図３】
2006174424.tif 000010
【図４】
2006174424.tif 000011
【図５】
2006174424.tif 000012
【図６】
2006174424.tif 000013
【図７】
2006174424.tif 000014
【図８】
2006174424.tif 000015
【図９】
2006174424.tif 000016
【図１０】
2006174424.tif 000017
【図１１】
2006174424.tif 000018
【図１２】
2006174424.tif 000019
【図１３】
2006174424.tif 000020
【図１４】
2006174424.tif 000021
【図１５】
2006174424.tif 000022
【図１６】
2006174424.tif 000023
【外国語明細書】
2006174424000001.pdf